(57)【要約】【課題】高分解能で全体測定が可能な小形のライフタイム測定装置を提供する。また測定時間を可及的に短くするライフタイム測定装置を提供する。また高精度のライフタイム測定装置を提供する。【解決手段】ライフタイム測定装置１は、液晶シャッター３を含んで構成される。液晶シャッター３は、半導体試料１２とレーザ光源２との間に介在され、２次元マトリックス状に配置される複数の制御領域を有し、各制御領域のおけるレーザ光１３の透過および遮断を個別に制御する。したがって機械的に導光状態を変更するより、ライフタイム測定装置１を小形化することができ、また測定時間を短縮することができる。また電気的に制御することによって面分解能を容易に向上することができ、高精度のライフタイムを求めることができる。【選択図】      図１
2004319633.tif 000002
【特許請求の範囲】
【請求項１】
半導体試料に原子を励起するための励起用電磁波を照射するための励起波源と、
半導体試料にキャリアの多寡によって反射率が変化する検出用電磁波を照射するためのプローブ波源と、
プローブ波源によって照射された検出用電磁波の半導体試料による反射強度を検出する検出手段と、
半導体試料と励起波源との間に介在され、複数の制御領域を有し、各制御領域における半導体試料に対する励起用電磁波の導光状態を制御する照射制御手段と、
検出される反射強度に基づいて、キャリアのライフタイムを求める演算手段とを含むことを特徴とするライフタイム測定装置。
【請求項２】
前記照射制御手段は、各制御領域における透過状態を制御することによって、照射面積、照射形状および照射位置の少なくともいずれか１つを制御することを特徴とする請求項１記載のライフタイム測定装置。
【請求項３】
前記照射制御手段は、２次元マトリックス状に配置される複数の制御領域を有し、各制御領域における励起電磁波の透過および遮断を個別に制御するシャッター手段であることを特徴とする請求項１または２記載のライフタイム測定装置。
【請求項４】
励起用電磁波の照射面積に基づいて、反射強度とライフタイムとの相関関係を補正する補正手段をさらに含むことを特徴とする請求項１〜３のいずれかに記載のライフタイム測定装置。
【請求項５】
前記補正手段は、検出手段から演算手段への信号を増幅する増幅手段のゲインを調整することを特徴とする請求項４記載のライフタイム測定装置。
【請求項６】
励起用電磁波の照射面積に基づいて、半導体試料への励起用電磁波の照射強度を調整する照射強度調整手段をさらに含むことを特徴とする請求項１〜３のいずれかに記載のライフタイム測定装置。
【請求項７】
前記照射強度調整手段は、励起波源からの出射強度を調整する手段、および照射制御手段における励起用電磁波の透過率を調整する手段のいずれか一方であることを特徴とする請求項６記載のライフタイム測定装置。
【請求項８】
前記照射制御手段は、少なくとも照射位置を制御する手段であり、
照射制御手段によって照射位置を走査しながらライフタイムを２次元的に求めるように、励起波源、プローブ波源、検出手段、照射制御手段および演算手段を統括的に制御する主制御手段をさらに含むことを特徴とする請求項１〜７のいずれかに記載のライフタイム測定装置。
【発明の詳細な説明】
【０００１】
【発明の属する技術分野】
本発明は、半導体試料の内部欠陥を評価するために、半導体試料中に発生させたキャリアのライフタイムを測定するライフタイム測定装置に関する。本発明において、用語「反射強度」は、反射光の単位面積当たりの強度ではなく、光検出器に導かれる反射光全体のエネルギー値を示す用語とする。また本発明において、用語「出射強度」および用語「照射強度」は、出射光および照射光の単位面積当たりの強度ではなく、出射光および照射光の全体のエネルギー値を示す用語とする。
【０００２】
【従来の技術】
第１の従来の技術のライフタイム測定装置は、半導体試料にレーザ光を照射し、半導体試料中にキャリアを発生させ、さらに半導体試料にマイクロ波を照射し、このマイクロ波の半導体試料による反射波の強度の時間変化を求める。その時間変化に基づいて、半導体試料のライフタイムを求めている（たとえば、非特許文献１参照）。
【０００３】
第２の従来の技術のライフタイム測定装置は、面分解能を向上させるために、第１の従来の技術の装置を改良し、半導体試料に照射されるレーザ光を、光ファイバを用いて集光させ、半導体試料におけるレーザ光の照射面積を小さくしている（たとえば、特許文献１参照）。
【０００４】
【非特許文献１】
ＪＥＩＤＡ規格，「シリコンウェーハの反射マイクロ波光導電減衰法による再結合ライフタイム測定方法」，ＪＥＩＤＡ−５３−１９９７，社団法人日本電子工業振興協会，平成９年４月
【特許文献１】
特開平２−７２６４６号公報
【０００５】
【発明が解決しようとする課題】
第２の従来の技術のライフタイム測定装置は、面分解能を向上するため、光ファイバを用いてレーザ光を集光しているので、光ファイバの集光倍率によってレーザ光の照射面積が決定される。このライフタイム測定装置の面分解能を変更するためには、所望の照射面積を得ることができる集光倍率を有する光ファイバに変更するか、または光ファイバと半導体試料との距離を変化させる必要がある。このように変更するためには、機械的な変更手段が必要であり、ライフタイム測定装置が大形化していた。また照射面積を変更するたびに、前記変更手段を用いなければならず、変更に時間がかかっていた。
【０００６】
また第２の従来の技術のライフタイム測定装置は、レーザ光の照射面積を変更することによって生じる反射波への影響を、考慮する構成ではなく精度が低かった。
【０００７】
また第２の従来の技術のライフタイム測定装置は、半導体試料全体を測定するためには、レーザ光を出射するレーザ光源および半導体試料が配置されるステージを相対的に変位させて、レーザ光を走査しなければならなかった。したがってライフタイム測定装置は、走査するための機械的な走査手段が必要であり、大形かしていた。
【０００８】
したがって本発明の目的は、高分解能で半導体試料の全体測定が可能な小形のライフタイム測定装置を提供することである。また本発明の目的は、測定時間を可及的に短くするライフタイム測定装置を提供することである。また本発明の目的は、高精度のライフタイム測定装置を提供することである。
【０００９】
【課題を解決するための手段】
本発明は、半導体試料に原子を励起するための励起用電磁波を照射するための励起波源と、
半導体試料にキャリアの多寡によって反射率が変化する検出用電磁波を照射するためのプローブ波源と、
プローブ波源によって照射された検出用電磁波の半導体試料による反射強度を検出する検出手段と、
半導体試料と励起波源との間に介在され、複数の制御領域を有し、各制御領域における半導体試料に対する励起用電磁波の導光状態を制御する照射制御手段と、
検出される反射強度に基づいて、キャリアのライフタイムを求める演算手段とを含むことを特徴とするライフタイム測定装置である。
【００１０】
本発明に従えば、ライフタイム測定装置は、励起用電磁波を半導体試料に照射し、半導体試料中の原子を励起して、キャリアを発生させる。キャリアが発生している半導体試料に検出用電磁波を照射し、検出用電磁波の半導体試料による反射強度を検出する。検出用電磁波の反射強度に基づいて、キャリアのライフタイムを求めることができる。本発明のライフタイム測定装置は、照射制御手段を含んで構成される。照射制御手段は、複数の制御領域を有する。照射制御手段は、半導体試料と励起波源との間に介在され、励起波源から照射される励起用電磁波の各制御領域における導光状態を制御する。したがって照射制御手段は、各制御領域を電気的に制御し、励起用電磁波の導光状態を制御することが可能である。各制御領域は、たとえば不規則に配置してもよいし、千鳥状、２次元マトリクス状および散乱状に配置してもよい。したがって機械的に、例えば、機械的構造の交換や姿勢制御等により導光状態を変更するよりも、ライフタイム測定装置を小形化することができ、また測定時間を短縮することができる。また各制御領域を電気的に制御することによって面分解能を容易に向上することができ、高精度のライフタイムを求めることができる。
【００１１】
また本発明は、前記照射制御手段は、各制御領域における透過状態を制御することによって、照射面積、照射形状および照射位置の少なくともいずれか１つを制御することを特徴とする。
【００１２】
本発明に従えば、前記照射制御手段は、各制御領域における透過状態を制御することによって、照射面積、照射形状および照射位置の少なくともいずれか１つを制御する。各制御領域における透過状態を制御することによって、励起用電磁波の各制御領域における導光状態を個別に制御することができる。したがって照射制御手段は、照射面積、照射形状および照射位置の少なくともいずれか１つを制御する。これによって半導体試料における所望する領域のライフタイムを求めることができる。これによって、ライフタイム測定装置を所望の面分解能に制御することができる。
【００１３】
また本発明は、前記照射制御手段は、２次元マトリックス状に配置される複数の制御領域を有し、各制御領域における励起電磁波の透過および遮断を個別に制御するシャッター手段であることを特徴とする。
【００１４】
本発明に従えば、前記照射制御手段は、２次元マトリックス状に配置される複数の制御領域を有し、各制御領域における励起電磁波の透過および遮断を個別に制御するシャッター手段である。したがって、各制御領域の透過および遮断を制御することによって、所望の照射面積、照射形状および照射位置に制御することができる。これによって半導体試料に対する励起用電磁波の照射面積、照射形状および照射位置を制御できるライフタイム測定装置を実現することができる。
【００１５】
また本発明は、励起用電磁波の照射面積に基づいて、反射強度とライフタイムとの相関関係を補正する補正手段をさらに含むことを特徴とする。
【００１６】
本発明に従えば、励起用電磁波の照射面積に基づいて、反射強度とライフタイムとの相関関係を補正する補正手段をさらに含むので、照射面積の変化に起因するライフタイムの不所望な変化を防ぐことができる。これによって信号対雑音比（Ｓｉｇｎａｌ  ｔｏ  Ｎｏｉｓｅ  Ｒａｔｉｏ：略称Ｓ／Ｎ比）を一定に保つことができる。したがって好適なライフタイムを求めることができる。
【００１７】
また本発明は、前記補正手段は、検出手段から演算手段への信号を増幅する増幅手段のゲインを調整することを特徴とする。
【００１８】
本発明に従えば、前記補正手段は、検出手段から演算手段への信号を増幅する増幅手段のゲインを調整するので、反射強度とライフタイムとの相関関係の補正を実現することができる。
【００１９】
また本発明は、励起用電磁波の照射面積に基づいて、半導体試料への励起用電磁波の照射強度を調整する照射強度調整手段をさらに含むことを特徴とする。
【００２０】
本発明に従えば、励起用電磁波の照射面積に基づいて、半導体試料への励起用電磁波の照射強度を調整する照射強度調整手段をさらに含むので、照射面積の変化に起因する反射強度の不所望な変化を防ぐことができる。これによってＳ／Ｎ比を一定に保つことができる。したがって好適なライフタイムを求めることができる。
【００２１】
また本発明は、前記照射強度調整手段は、励起波源からの出射強度を調整する手段、および照射制御手段における励起用電磁波の透過率を調整する手段のいずれか一方であることを特徴とする。
【００２２】
本発明に従えば、照射強度調整手段は、励起波源からの出射強度を調整する手段、および照射制御手段における励起用電磁波の透過率を調整する手段のいずれか一方である。これによって半導体試料における励起用電磁波の照射強度の調整を実現することができる。
【００２３】
また本発明は、前記照射制御手段は、少なくとも照射位置を制御する手段であり、
照射制御手段によって照射位置を走査しながらライフタイムを２次元的に求めるように、励起波源、プローブ波源、検出手段、照射制御手段および演算手段を統括的に制御する主制御手段をさらに含むことを特徴とする。
【００２４】
本発明に従えば、照射位置を走査しながらライフタイムを２次元的に求めるように各部が制御されるので、半導体試料の全域にわたって高精度のライフタイムを求めることができる。
【００２５】
【発明の実施の形態】
図１は、本発明の実施の一形態のライフタイム測定装置１の構成を示すブロック図である。ライフタイム測定装置１は、レーザ光源２、液晶シャッター３、導波管４、中央処理装置（Ｃｅｎｔｒａｌ  Ｐｒｏｃｅｓｓｉｎｇ  Ｕｎｉｔ：略称ＣＰＵ）５、アンプ６、光検出器７、マイクロ波源８、サーキュレータ９、ステージ１０およびステージコントローラ１１を含んで構成される。ライフタイム測定装置１は、半導体試料１２中に発生させたキャリアのライフタイムを測定する装置である。ライフタイムは、原子が励起されて発生したキャリアが再結合によって消滅する時間である。このライフタイムを測定することによって、半導体試料１２中の金属不純物および結晶欠陥などを評価することができる。半導体試料１２は、半導体装置などの材料として用いられる。したがってライフタイム測定装置が半導体試料を評価することによって、高品質の半導体試料を選択することができる。これによって高品質の半導体試料を用いて、高品質の半導体装置などを製造することができる。半導体試料１２は、たとえばシリコン（Ｓｉ）ウェハであり、ライフタイム測定装置１のステージ１０の予め定められる測定位置に予め載置される。
【００２６】
レーザ光源２は、励起波源であって、励起電磁波であるレーザ光１３を、ＣＰＵ５のから与えられる指令に基づいて出射する。レーザ光１３は、半導体試料１２の原子を励起し、キャリアを発生させる。レーザ光１３の波長は、原子を励起するために、半導体試料１２のバンドギャップエネルギに基づいて選択される。半導体試料１２が、たとえばシリコンウェハの場合、シリコンウェハの室温時のバンドギャップエネルギは約１．１ｅＶである。レーザ光源２は、このバンドギャップエネルギに基づいて、波長がたとえば約１１００ｎｍのレーザ光１３を出射する。レーザ光源２は、たとえば半導体レーザ光源によって実現される。
【００２７】
液晶シャッター３は、照射制御手段であって、半導体試料１２とレーザ光源２との間に介在される。液晶シャッター３は、半導体試料１２に対するレーザ光１３の導光状態を、ＣＰＵ５から与えられる指令に基づいて制御する。導光状態は、たとえば照射面積、照射形状および照射位置がある。本実施の形態では、照射面積、照射形状および照射位置の少なくともいずれか１つが制御される。
【００２８】
マイクロ波源８は、プローブ波源であって、半導体試料１２のキャリアの多寡によって反射率が変化する検出用電磁波であるマイクロ波１４を出射する。マイクロ波源８は、ＣＰＵ５によって制御される。導波管４は、マイクロ波１４を予め定める位置に導く。サーキュレータ９は、第１端子、第２端子および第３端子を有する。マイクロ波１４を第１端子に入射すると、与えられたマイクロ波１４が第２端子から出射される。マイクロ波１４を第２端子に入射すると、与えられたマイクロ波１４が第３端子から出射される。
【００２９】
光検出器７は、検出手段であって、与えられるマイクロ波１４の強度を検出する。光検出器７は、具体的には、マイクロ波検出器によって実現される。光検出器７は、ＣＰＵ５によって制御される。
【００３０】
ステージコントローラ１１は、ＣＰＵ９の指令に基づいてステージ１０を制御する。ステージ１０は、半導体試料１２が載置され、吸着固定される。ステージ１０はステージコントローラ１１から与えられる指令に基づいて、半導体試料１２を測定領域に移動させ、位置決めをする。
【００３１】
ＣＰＵ５は、レーザ光源２、液晶シャッター３、マイクロ波源８、光検出器７およびステージコントローラ１１が所定の機能を実現するように制御指令を与えて、制御する。ＣＰＵ５は、演算部、補正部および主制御部を含んで構成される。演算部は、演算手段であって、演算部は検出される反射強度に基づいてキャリアのライフタイムを求める。補正部は、補正手段であって、補正部はレーザ光１３の照射面積に基づいて、反射強度とライフタイムとの相関関係を補正する。補正部は、本実施の形態では、アンプ６のゲインを調整することによって実現される。主制御部は、主制御手段であって、主制御部は液晶シャッター３によって照射位置を走査しながらライフタイムを２次元的に求めるように、レーザ光源２、マイクロ波源８、光検出器７、液晶シャッター３および演算部を統括的に制御する。
【００３２】
レーザ光源２は、予め定められる時間、レーザ光１３を出射する。液晶シャッター３は、レーザ光１３の導光状態を制御し、制御された制御光１５を半導体試料１２に照射する。マイクロ波源８は、サーキュレータ９、導波管４を介して、半導体試料１２に導かれる。したがって半導体試料１２は、制御光１５とマイクロ波１４とが照射される。マイクロ波１４は半導体試料１２にて反射し、反射光１６となって、導波管４、サーキュレータ９を介して光検出器７に導かれる。光検出器７は、反射光１６の反射強度に基づく情報を検出し、検出した情報に基づく信号をアンプ６に与える。アンプ６は、増幅手段であって、与えられた信号を予め設定されるゲインに基づいて増幅し、ＣＰＵ５に増幅した信号を与える。ＣＰＵ５は、アンプ６からの信号に基づく情報によって、半導体試料１２のライフタイムを演算する。
【００３３】
図２は、液晶シャッター３を示す正面図である。液晶シャッター３は、シャッター手段であって、本実施の形態では略正方形板状に形成される。液晶シャッター３は、液晶シャッター３の長さ方向に関して、液晶シャッター３がＭ個に分割され、Ｍ個の領域にそれぞれ第１長さ方向信号線１８〜第Ｍ長さ方向信号線１８が順次、電気的に接続される。また液晶シャッター３の長さ方向に垂直な幅方向に関して、液晶シャッター３がＮ個に分割され、Ｎ個の領域にそれぞれ第１幅方向信号線１９〜第Ｎ幅方向信号線１９が順次、電気的に接続される。したがって液晶シャッター３は、２次元マトリックス状に配置される複数の、本実施の形態ではＭ×Ｎ個の制御領域１７を有する。各制御領域１７は、本実施の形態では、互いに同一の寸法から成る略正方形板状に形成される。
【００３４】
各制御領域１７は、たとえばそれぞれ液晶層を有し、液晶層の厚み方向両端面部に一対の透明電極がそれぞれ設けられる。各透明電極は、透明電極の厚み方向外方側に一対の透明基板がそれぞれ設けられる。これによって各制御領域の透明電極に接続される信号線１８，１９を用いて、電圧を印可する、印可しないによって、液晶層を構成する液晶分子の状態を変化させ、レーザ光１３の透過状態を制御することができる。したがって液晶シャッター３は、ＣＰＵ５から与えられる指令に基づいて、各制御領域１７におけるレーザ光１３の透過状態を制御することができる。液晶シャッター３は、各制御領域における透過状態が個別に制御され、具体的には、レーザ光１３の透過および遮断が個別に制御される。これによって液晶シャッター３は、レーザ光１３の半導体試料１２における照射面積、照射形状および照射位置が制御可能である。また照射位置を走査しながらライフタイムが２次元的に求めることができる。走査方式は、たとえばラスタスキャン方式が用いられる。
【００３５】
図３は、各制御領域１７、レーザ光１３の照射領域であるレーザ光照射領域２０およびマイクロ波１４の照射領域であるマイクロ波照射領域２１の位置関係を示す正面図である。液晶シャッター３は、自然状態において、各制御領域１７が透過領域２２および遮断領域のいずれか一方となるよう形成され、本実施の形態では、自然状態において、遮断領域となるように形成される。各制御領域１７は、電圧が印可されることによって、レーザ光１３が透過可能な透過領域１７となる。透過領域１７を、斜線を施して示す。各制御領域１７は、電圧が印可されていない自然状態において、レーザ光１３が遮断される遮断領域である。
【００３６】
液晶シャッター３の幅方向および長さ方向は、レーザ光源２がレーザ光１３を出射する光軸と略垂直となるよう配置される。液晶シャッター３の厚み方向は光軸と略平行になるように配置される。また液晶シャッター３は、レーザ光照射領域２０内に配置され、液晶シャッター３におけるレーザ光１３の照射光量の分布が一様である領域が選択される。制御光１５の半導体試料１２における照射領域は、マイクロ波照射領域２１に含まれる。
【００３７】
図４は、各制御領域１７の内、１つの制御領域１７だけを透過領域２２に制御した液晶シャッター３を示す正面図である。図５は、各制御領域１７の内、２×２個の制御領域１７だけを透過領域２２に制御した液晶シャッター３を示す正面図である。図６は、各制御領域１７の内、幅方向に延びる制御領域１７である１×Ｎ個の制御領域１７だけを透過領域２２に制御した液晶シャッター３を示す正面図である。図７は、各制御領域１７の内、長さ方向に延びる制御領域１７であるＭ×１個の制御領域１７だけを透過領域２２に制御した液晶シャッター３を示す正面図である。
【００３８】
ライフタイム測定装置１の面分解能は、液晶シャッター３の透過領域２２の面積に基づいて決定される。液晶シャッター３における面分解能を最大にするためには、透過領域２２を最小にすればよく、具体的には、１つの制御領域１７だけを透過領域２２に制御する。この１つの透過領域２２を走査し、液晶シャッター３全域にわたって、ライフタイムを求める。これによって高精度のライフタイムを、半導体試料に全域にあたって求めることができる。面分解能を変更するには、たとえば２×２個の制御領域１７を透過領域２２に制御し、この２×２個の透過領域２２を走査し、ライフタイムを求める。走査させる透過領域２２は、略正方形状以外の形状でもよく、たとえば透過領域２２は略長方形状であってもよい。具体的には１×３個および２×３個など各制御領域１７を組合わせ、走査させる透過領域２２とすることができる。これによって半導体試料１２の形状および寸法に基づく透過領域２２によって、走査することができる。またライフタイムの分布特性が、たとえば半導体試料１２の製法などに起因して、一定方向のみに依存する場合がある。この場合、その依存する方向と透過領域２２を幅方向および長さ方向のいずれか一方と平行となるように、半導体試料１２および液晶シャッター３を配置する。また透過領域２２を、依存する方向に延びる略長方形状になるように制御する。この制御領域を依存する方向と垂直な方向に透過領域を走査することによって、効率的に高精度のライフタイムを求めることができ、測定時間を短縮することができる。
【００３９】
図８は、液晶シャッター３の透過領域２２の面積である透過面積αと、マイクロ波１４の半導体試料１２による反射光１６の反射強度との関係を示すグラフである。グラフの横軸は透過面積を表し、縦軸は反射強度を表す。レーザ光１３の照射光量の分布が一様であるレーザ光照射領域２０に液晶シャッター３は配置される。これによって反射強度は、透過領域２２の透過率が一定の場合、透過面積αのみに依存する。したがって半導体試料１２におけるマイクロ波１４の反射率が一定の場合に、マイクロ波１４の反射強度が、透過面積αに関係なく一定になるように補正する。全制御領域１７が透過領域２２であるとき、透過面積αはＭ×Ｎであるので、透過面積Ｍ×Ｎのときの反射強度を１とすると、透過面積αのときの反射強度はα／（Ｍ×Ｎ）となる。この透過面積αと反射強度との関係に基づいて、反射強度とライフタイムとの相関関係を補正することができる。
【００４０】
図９は、ライフタイム測定装置１を用いてライフタイムを測定する測定方法を示すフローチャートである。ステップａ０では、ステージ１０に半導体試料１２が配置され、ステップａ１に進む。ステップａ１では、液晶シャッター３の透過領域２２の形状が決定され、ＣＰＵ５に透過領域２２の形状を示す指令を与え、ＣＰＵ５にて透過面積αが求められ、ステップａ２に進む。ステップａ２では、反射強度とライフタイムとの相関関係を補正するため、アンプ６のゲインが透過面積αと全制御領域１７の面積とに基づいて決定され、ステップａ３に進む。アンプ６のゲインは、具体的にはＭ×Ｎ／α倍とし、ＣＰＵ５がアンプ６のゲインを調整する指令を与え、アンプ６のゲインが調整される。これによって反射強度の透過面積αによる不所望の変化を、補正することができる。
【００４１】
ステップａ３では、半導体試料１２の同じ位置における反射強度の測定回数が求められ、ステップａ４に進む。反射強度を示す信号は、アンプ６によって増幅されるので、反射強度を示す信号に含まれるノイズ信号も増幅される。このノイズ信号は、白色ノイズ信号であると仮定する。白色ノイズ信号は、複数回測定した反射強度の加算平均を求めることによって、低減することができる。測定回数と、白色ノイズ信号の低減の度合いとは、比例関係にある。したがって本実施の形態では、測定回数をＭ×Ｎ／α回とする。これによってアンプの増幅率が大きくなると、測定回数も多くなる。したがって、アンプ６によって増幅されるノイズ信号を、アンプのゲインに基づいて低減することができる。
【００４２】
ステップａ４では、ＣＰＵ５がステージコントローラ１１に指令を与え、ステージ１０に載置されている半導体試料１２を、レーザ光照射領域２０に移動させ、ステップａ５に進む。ステップａ５では、位置（ｍ，ｎ）の制御領域１７が、透過領域２２となるよう制御され、ステップａ６に進む。これによって制御光１５が半導体試料１２に照射される。ステップａ６では、反射強度が、光検出器７によって検出される。検出された値を示す信号が、アンプ６によって増幅され、増幅された信号に基づく値をＣＰＵ５に与える。ステップａ５およびステップａ６が、測定回数Ｍ×Ｎ／α回繰返され、ステップａ７に進む。
【００４３】
同じ透過領域における反射強度を複数回検出する方法は、液晶シャッターの透過領域を制御して、遮断領域と透過領域とを交互に繰返す方法がある。他の方法として、液晶シャッターの透過領域は変化させず、レーザ光源を制御して、レーザ光の出射と遮断とを交互に繰返す方法がある。液晶シャッターを制御する方法とレーザ光源を制御する方法とで、短時間でレーザ光の照射と遮断とを切替える方法の方が、測定時間を短くすることができる。本実施の形態では、レーザ光源を制御する方法の方が、液晶シャッターを制御する方法より、短時間で照射と遮断と切替えることができるので、レーザ光源を制御する方法が用いられる。具体的には、レーザ光源２のスイッチング態様を切替える方法、およびレーザ光源２に供給される電流を、チョッパなどによって制御する方法などによって実現される。
【００４４】
ステップａ７では、反射強度の測定回数Ｍ×Ｎ／α回の値の加算平均値が求められ、ステップａ８に進む。これによって増幅されたノイズ信号が低減される。ステップａ８では、ＣＰＵ５の演算部によって、反射強度の変化に基づくライフタイムが求められ、ステップａ９に進む。したがって、制御光１５が照射された位置におけるライフタイムが求められる。
【００４５】
ステップａ９では、液晶シャッター３の各制御領域１７が透過領域２２に制御され、ライフタイムの測定が完了したかどうかが判断される。測定が完了していない場合、透過領域２２の位置（ｍ，ｎ）をラスタスキャンし、ライフタイムを２次元的に求めるようにＣＰＵ５が液晶シャッター３を制御し、ステップａ５に進む。測定が完了している場合、ステップａ１０に進み、測定を終了する。
【００４６】
本実施の形態では、ライフタイム測定装置１は、レーザ光１３を半導体試料１２に照射し、半導体試料１２中の原子を励起して、キャリアを発生させる。キャリアが発生している半導体試料１２にマイクロ波１４を照射し、マイクロ波の半導体試料１２による反射強度を検出する。マイクロ波１４の反射強度に基づいて、キャリアのライフタイムを求めることができる。ライフタイム測定装置１は、液晶シャッター３を含んで構成される。液晶シャッター３は、半導体試料１２とレーザ光源２との間に介在され、レーザ光源２から照射されるレーザ光１３の導光状態を制御する。液晶シャッター３は、電気的に制御されてレーザ光１３の導光状態を制御することが可能である。したがって半導体試料と液晶シャッター３の相対位置が不変の状態で、レーザ光１３の導光状態を制御することができる。また液晶シャッターは、レーザ光１３の導光状態を動的制御することができる。したがって機械的に、例えば、機械的構造の交換や姿勢制御等により、導光状態を変更するより、ライフタイム測定装置１を小形化することができ、また測定時間を短縮することができる。また電気的に制御することによって面分解能を容易に向上することができ、高精度のライフタイムを求めることができる。
【００４７】
また本実施の形態では、液晶シャッター３は、各制御領域１７における透過状態を制御することによって、照射面積、照射形状および照射位置の少なくともいずれか１つを制御する。各制御領域１７における透過状態を制御することによって、レーザ光１３の各制御領域１７における導光状態を個別に制御することができる。したがって液晶シャッター３は、照射面積、照射形状および照射位置の少なくともいずれか１つを制御する。したがって半導体試料１２における所望する領域のライフタイムを求めることができる。これによって、ライフタイム測定装置１を所望の面分解能に制御することができる。
【００４８】
また本実施の形態では、液晶シャッター３は、２次元マトリックス状に配置される複数の制御領域１７を有し、各制御領域１７におけるレーザ光１３の透過および遮断を個別に制御する。したがって、各制御領域１７の透過および遮断を制御することによって、所望の照射面積、照射形状および照射位置に制御することができる。これによって半導体試料１２に対するレーザ光１３の照射面積、照射形状および照射位置を制御できるライフタイム測定装置１を実現することができる。
【００４９】
また本実施の形態では、レーザ光１３の照射面積に基づいて、反射強度とライフタイムとの相関関係を補正する補正手段をさらに含むので、照射面積の変化に起因するライフタイムの不所望な変化を防ぐことができる。これによってＳ／Ｎ比を一定に保つことができる。したがって好適なライフタイムを求めることができる。
【００５０】
また本実施の形態では、補正手段は、光検出器７から演算手段への信号を増幅するアンプ６のゲインを調整するので、反射強度とライフタイムとの相関関係の補正を実現することができる。
【００５１】
また本実施の形態では、照射位置を走査しながらライフタイムを２次元的に求めるように各部が制御されるので、半導体試料１２の全域にわたって高精度のライフタイムを求めることができる。
【００５２】
図１０は、本実施の他の形態のライフタイム測定装置を用いてライフタイムを測定する測定方法を示すフローチャートである。本実施の形態は前述の図１〜図９のライフタイム測定装置１と類似しており、本実施の形態の構成にはライフタイム測定装置１における対応する構成と同一の参照符号を付し、異なる構成についてだけ説明し、同様の構成については説明を省略する。本実施の形態のライフタイム測定装置は、前述のライフタイム測定装置１の補正部に対して、照射強度調整部によって、反射強度を調整し、ライフタイムの値を求めている。
【００５３】
本実施の形態のライフタイム測定装置を構成するＣＰＵ５は、照射強度調整部を含んで構成される。照射強度調整部は、照射強度調整手段であって、レーザ光１３の出射強度を調整する。本実施の形態のレーザ光源２は、供給電流などをＣＰＵ５が制御することによって、出射強度を調整できるように構成される。またレーザ光源２が、出射強度を調整できない構成であっても、レーザ光源２と液晶シャッター３との間に複数枚のＮＤフィルタを光軸方向に配置して、レーザ光１３の照射強度を調整してもよい。ＮＤフィルタは、一定の透過率を有し、照射強度を小さくすることができる。レーザ光１３の照射強度は、ＮＤフィルタを配置する枚数およびＮＤフィルタの透過率などによって、調整することができる。
【００５４】
照射強度調整部は、具体的には、透過面積αに基づいて、レーザ光１３の出射強度を調整する。これによって反射光の反射強度が、透過面積αの変化によって不所望に変化しないように調整する。ステップｂ０およびステップｂ１は、前述のステップａ０およびステップａ１と類似している。ステップｂ２では、レーザ光源２の出射強度が、照射強度調整部によって、透過面積αに基づいてＭ×Ｎ／α倍され、ステップｂ３に進む。これによって、半導体試料における反射率が一定の場合、反射強度は透過面積αに依存せず、一定にすることができる。ステップｂ３〜ｂ８は、前述のステップａ４〜ａ６およびステップａ８〜ａ１０と類似している。前述の実施の形態ではアンプ６を用いて信号を増幅していたので、ノイズの低減をする工程があるが、本実施の形態では出射強度が制御されることにより、ノイズは生じにくいので、ノイズを低減する工程は除かれている。
【００５５】
本実施の形態では、レーザ光１３の照射面積に基づいて、半導体試料１２へのレーザ光１３の照射強度を調整する照射強度調整部をさらに含むので、照射面積の変化に起因する反射強度の不所望な変化を防ぐことができる。これによってＳ／Ｎ比を一定に保つことができる。したがって好適なライフタイムを求めることができる。
【００５６】
また本実施の形態では、照射強度調整部は、レーザ光源２からの出射強度を調整する。これによって半導体試料１２におけるレーザ光１３の照射強度の調整を実現することができる。したがって本実施の形態のライフタイム測定装置は、その他前記実施の形態と同様の効果を達成することができる。
【００５７】
図１１は、本実施のさらに他の形態のライフタイム測定装置を用いてライフタイムを測定する測定方法を示すフローチャートである。本実施の形態は前述の図１〜図９のライフタイム測定装置１と類似しており、本実施の形態の構成にはライフタイム測定装置１における対応する構成と同一の参照符号を付し、異なる構成についてだけ説明し、同様の構成については説明を省略する。本実施の形態のライフタイム測定装置は、前述の図１０のライフタイム測定装置と同様に照射強度調整部によって、反射強度を調整し、ライフタイムを求めている。
【００５８】
本実施の形態の液晶シャッター３は、透過領域２２におけるレーザ光１３の透過率を制御できるように構成される。照射強度調整部は、透過率を透過面積αに基づいて制御することによって、照射強度を調整する。これによって反射強度が、透過面積αの変化によって不所望に変化しないように調整する。
【００５９】
本実施の形態の図１１のフローチャートは、前述の他の実施の形態の図１０のフローチャートに対して、ステップｃ２，ｃ４が異なり、残余のステップｃ０，ｃ１，ｃ３，ｃ５〜ｃ８は、ステップｂ０，ｂ１，ｂ３，ｂ５〜ｂ８とそれぞれ類似している。ステップｃ２では、液晶シャッター３の透過領域２２の透過率が、透過面積αに基づいて、１／αに設定される。これによって、半導体試料における反射率が一定の場合、反射強度は透過面積αに依存せず、一定にすることができる。ステップｃ４では、液晶シャッター３における制御領域１７の位置（ｍ，ｎ）が透過率１／αの透過領域２２となるよう制御され、制御光１５が半導体試料１２に照射され、ステップｃ６に進む。
【００６０】
本実施の形態では、液晶シャッターの各制御領域１７を制御するときに、透過率も制御されるので、簡単な構成で照射強度を調整することができる。
【００６１】
また本実施の形態では、照射強度調整部は、液晶シャッター３におけるレーザ光１３の透過率を調整する。これによって半導体試料１２におけるレーザ光１３の照射強度の調整を実現することができる。したがって本実施の形態のライフタイム測定装置は、その他前記実施の形態と同様の効果を達成することができる。
【００６２】
図１２は、本実施のさらに他の形態のライフタイム測定装置を構成する液晶シャッター３０を示す正面図である。本実施の形態は前述の図１〜図９のライフタイム測定装置１と類似しており、本実施の形態の構成にはライフタイム測定装置１における対応する構成と同一の参照符号を付し、異なる構成についてだけ説明し、同様の構成については説明を省略する。本実施の形態のライフタイム測定装置は、前述のライフタイム測定装置１と液晶シャッター３０の構成が異なる。
【００６３】
本実施の形態の液晶シャッター３０は、各制御領域３１は長方形状であって、数種類の寸法に形成される。集合制御領域３２は、４つの同一の寸法の制御領域３１が２次元マトリックス状に配置される。この集合制御領域３２だけを用いて、ライフタイムを測定する。これによってライフタイムが未知の半導体試料１２を測定するとき、集合制御領域３２を用いてライフタイムを測定することによって、設定すべき面分解能および走査方向などを容易に短時間で求めることができる。また液晶シャッター３０の構成を簡素化することができる。本実施の形態では、複数の制御領域３１を同時に透過領域２２にしてライフタイムを測定せずに、各制御領域３１毎にライフタイムを測定するので、液晶シャッター３０の透過領域２２の位置および透過率などの制御が容易となる。また本実施の形態では、各制御領域３１毎にライフタイムを測定するので、各制御領域３１を透過領域２２にする制御が容易となり、ＣＰＵ５が液晶シャッター３０に指令を与えてから各制御領域３１を透過領域２２にするまでの時間を短縮することができる。これによって液晶シャッター３０の応答時間が短縮されるので、高効率でライフタイムを求めることができる。したがって本実施の形態のライフタイム測定装置は、その他前記実施の形態と同様の効果を達成することができる。
【００６４】
図１３は、本実施のさらに他の形態のライフタイム測定装置を構成する液晶シャッター４０を示す正面図である。本実施の形態は前述の図１〜図９のライフタイム測定装置１および図１２の液晶シャッター３０が用いられるライフタイム測定装置と類似しており、本実施の形態の構成にはライフタイム測定装置１および液晶シャッター３０における対応する構成と同一の参照符号を付し、異なる構成についてだけ説明し、同様の構成については説明を省略する。本実施の形態のライフタイム測定装置は、前述のライフタイム測定装置１と液晶シャッター４０の構成が異なる。
【００６５】
本実施の形態の液晶シャッター４０は、各制御領域４１は、長方形状であって、複数の寸法に形成される。集合制御領域４２は、同一の寸法の複数の制御領域４１が、その長辺が互いに接するように、短手方向に並べられ、長方形状に形成される。前述したように、ライフタイムの分布特性が、たとえば半導体試料１２の製法などに起因して、一定方向のみに依存する場合、集合制御領域４２を用いてライフタイムが測定される。これによって液晶シャッター４０の構成を簡素化することができる。また測定時間を短縮することができる。したがって本実施の形態のライフタイム測定装置は、その他前記実施の形態と同様の効果を達成することができる。
【００６６】
図１４は、本実施のさらに他の形態のライフタイム測定装置に用いられる光学フィルタ５０を構成する下部基板５１を示す正面図である。図１５は、光学フィルタ５０を構成する上部基板５２を示す正面図であり、図１６は、光学フィルタ５０を示す断面図である。本実施の形態は、前述の図１〜１３のライフタイム測定装置１を構成するシャッター手段が光学フィルタ５０によって実現される。本実施の形態は前述の図１〜図１３のライフタイム測定装置１と類似しており、本実施の形態の構成にはライフタイム測定装置１における対応する構成と同一の参照符号を付し、異なる構成についてだけ説明し、同様の構成については説明を省略する。
【００６７】
シャッター手段である光学フィルタ５０は、半導体試料１２に対するレーザ光１３の導光状態を、ＣＰＵ５から与えられる指令に基づいて制御する。光学フィルタ５０は、下部基板５１、上部基板５２および高粘度電解質層５４を含んで構成される。下部基板５１は、薄膜トランジスタ（Ｔｈｉｎ  Ｆｉｌｍ  Ｔｒａｎｓｉｓｔｏｒ：略称ＴＦＴ）５５、第１透明電極５６、電解質含有電極５７および第１透明支持体５８を含んで構成される。第１透明支持体５８は、レーザ光１３が透光可能な材料から成る。第１透明支持体５８は、平板状に形成され、たとえば略矩形板状に形成される。ＴＦＴ５５と第１透明電極５６と電解質含有電極５７とは、各１つを組合わせて１つの制御体５３を構成するように形成される。制御体５３は、複数、本実施の形態では２５個形成される。制御体５３は、正方形等の略矩形状に形成され、第１透明支持体５８の厚み方向一端面部に、２次元マトリクス状に配置される。制御体５３を構成するＴＦＴ５５および第１透明電極５６は、電気的に接続される。ＴＦＴ５５は、ＣＰＵ５と電気的に接続され、ＣＰＵ５から与えられる指令に基づいて、電気的に接続される第１透明電極５６に印可する電圧を制御する。
【００６８】
第１透明電極５６は、レーザ光１３が透光可能であり、導電性を有する材料から成る。第１透明電極５６は、平板状に形成され、たとえば略正方形板状に形成される。電解質含有電極５７は、第１透明電極５６の幅方向一端面部および長さ方向一端面部にＬ字型に形成される。高粘度電解質層５４の電気化学的な酸化もしくは還元、析出もしくは溶解の反復反応により、意図せぬ部分への過度の付着などが発生した場合、高粘度電解質層５４中の析出等すべき電解質の不足が生じるため、電解質含有電極５７は、これを補給する目的で形成される。
【００６９】
上部基板５２は、第２透明支持体５９および第２透明電極６０を含んで構成される。第２透明支持体５９は、レーザ光１３が透光可能であり、平板状に形成され、たとえば第１透明支持体５８と同様の寸法の略矩形板状に形成される。第２透明電極６０は、レーザ光１３が透光可能であり、導電性を有する材料から成り、ＣＰＵ５に電気的に接続される。第２透明電極６０は、平板状に形成され、たとえば第１透明支持体５８と同様の寸法の略矩形板状に形成される。上部基板５２は、第２透明支持体５９の厚み方向一端面部上に第２透明電極６０をその厚み方向一端面部が接続されるようにＣＶＤや塗布や貼付などにより形成されたものである。
【００７０】
高粘度電解質層５４は、電気的な制御、たとえば電圧の印可方向を制御することによって、レーザ光１３を透過および遮断を制御できる性質を有する。高粘度電解質層５４は、電気化学的な酸化もしくは還元によって析出もしくは溶解する着色体を含んで構成される。したがって高粘度電解質層５４は、電圧の印可方向を制御することによって、透過状態を制御することができる。高粘度電解質層５４は、たとえばエレクトロクロミック材料を用いることによって実現される。
【００７１】
光学フィルタ５０は、下部基板５１と上部基板５２とが、高粘度電解質層５４を介して機械的に接続される。詳述すると下部基板５１の厚み方向は、上部基板５２の厚み方向と平行であり、下部基板５１の制御体５３が、上部基板５２の第２透明電極６０と離間して対向するように配置される。したがって光学フィルタ５０は、各制御体５３が第２透明電極６０の臨む領域である制御領域６１が複数形成される。各制御体５３は、ＣＰＵ５からの指令に基づいて個別に電圧が印可されるので、第２透明電極６０に電圧が印可されることによって、各制御領域６０の高粘度電解質層５４に電圧を印可することができる。したがって各制御領域６１の高粘度電解質層５４の透過状態を変化させることができる。これによってＣＰＵ５は、各制御領域６１における透過状態を個別に制御することができる。したがって本実施の形態のライフタイム測定装置は、その他前記実施の形態と同様の効果を達成することができる。
【００７２】
図１７は、本実施のさらに他の形態のライフタイム測定装置に用いられる光学フィルタ７０を構成する下部基板７１を示す正面図である。図１８は、光学フィルタ７０を構成する上部基板７２を示す正面図であり、図１９は、光学フィルタ７０を示す断面図である。本実施の形態は、前述の図１〜１３のライフタイム測定装置１を構成するシャッター手段が光学フィルタ７０によって実現される。本実施の形態は前述の図１〜図１３のライフタイム測定装置１と類似しており、本実施の形態の構成にはライフタイム測定装置１における対応する構成と同一の参照符号を付し、異なる構成についてだけ説明し、同様の構成については説明を省略する。
【００７３】
シャッター手段である光学フィルタ７０は、半導体試料１２に対するレーザ光１３の導光状態を、ＣＰＵ５から与えられる指令に基づいて制御する。光学フィルタ７０は、下部基板７１、上部基板７２および高粘度電解質層７３を含んで構成される。下部基板７１は、第１透明電極７４および第１透明支持体７５を含んで構成される。第１透明支持体７５は、レーザ光１３が透光可能な材料から成る。第１透明支持体７５は、平板状に形成され、たとえば略矩形板状に形成される。第１透明電極７４は、レーザ光１３が透光可能であり、導電性を有する材料から成る。第１透明電極７４は、平板状に形成され、たとえば略長方形板状に形成される。第１透明電極７４は、第１透明支持体７５の厚み方向一端面部に、複数、本実施の形態では５個配置され、ＣＰＵ５に電気的に接続される。具体的には、各第１透明電極７４は、第１透明支持体７５の厚み方向一端面部に、第１透明支持体７５の幅方向と各第１透明電極７４の長手方向が平行であり、第１透明支持体７５の厚み方向と各第１透明電極７４の厚み方向が同一となるように、幅方向全域にわたって配置される。また各第１透明電極７４は、第１透明支持体７５の幅方向に垂直な長さ方向に関して、大略的に等間隔に並んで配置される。上部基板７２は、前記下部基板７１と同様の構成で実現される。高粘度電解質層７３は、前述の実施の形態の高粘度電解質層５４と同様の構成で実現される。
【００７４】
光学フィルタ７０は、下部基板７１と上部基板７２とが高粘度電解質層７３を介して機械的に接続されて形成される。詳述すると下部基板７１の厚み方向は、上部基板７２の厚み方向と平行であり、下部基板７１の第１透明電極７４は、上部基板７２の第２透明電極７７と離間して対向するように配置される。さらに詳述すると、第１透明電極７４の長手方向は、第２透明電極７７の長手方向と垂直となるように、換言すると、第１透明支持体７５の長さ方向と、第２透明支持体７６の長さ方向が垂直となるように配置される。したがって光学フィルタ７０の厚み方向に関して、各透明電極７４，７７が互いに対向する制御領域７８が複数、本実施の形態では２５個、２次元マトリクス状に形成される。各透明電極７４，７７は、ＣＰＵ５から与えられる指令に基づいて、対応する各透明電極７４，７７に印可される電圧が制御されるので、各制御領域７８の高粘度電解質層５４に電圧を印可することができる。したがって各制御領域６１の高粘度電解質層５４の透過状態を変化させることができる。各制御領域７８における透過状態を個別に制御するこができる。したがって本実施の形態のライフタイム測定装置は、その他前記実施の形態と同様の効果を達成することができる。
【００７５】
前述の実施の形態のライフタイム測定装置において、半導体試料における測定領域が、レーザ光照射領域およびマイクロ波照射領域よりも大きい場合、ステージをステージコントローラによって制御するようにしてもよい。これによって、レーザ光照射領域およびマイクロ波照射領域を半導体試料に対して変位させることができ、ライムタイムを測定することができる。
【００７６】
また前述の実施の形態のライフタイム測定装置において、同じ透過領域における反射強度を複数回検出する場合、レーザ光を制御して制御光にするための液晶シャッターとは別の液晶シャッターを用いて、レーザ光の照射と遮断とを切替えてもよい。この液晶シャッターは、半導体試料のライフタイムに対して応答時間が短い液晶シャッターを用いる。これによってライフタイムの測定時間を長くすることなく、液晶シャッターの透過と遮断とを切替えることができる。したがって、レーザ光の透過と遮断とを切替えることができる。
【００７７】
また前述の実施の形態のライフタイム測定装置において、照射制御手段は、レーザ光を透過する構成によって実現されているが、レーザ光を反射させて半導体試料に照射するように構成してもよい。これによって前述の実施の形態のライフタイム測定装置と同様の効果を達成することができる。
【００７８】
【発明の効果】
以上のように本発明によれば、照射制御手段は、半導体試料と励起波源との間に介在され、複数の制御領域を有し、各制御領域における半導体試料に対する励起用電磁波の導光状態を制御する。照射制御手段は、各制御領域を電気的に制御して励起用電磁波の導光状態を制御することが可能である。したがって機械的に、例えば、機械的構造の交換や姿勢制御等により、導光状態を変更するよりも、ライフタイム測定装置を小形化することができ、また測定時間を短縮することができる。また各制御領域を電気的に制御することによって面分解能を容易に向上することができ、高精度のライフタイムを求めることができる。
【００７９】
また本発明によれば、半導体試料における所望する領域のライフタイムを求めることができる。これによって、ライフタイム測定装置を所望の面分解能に制御することができる。
【００８０】
また本発明によれば、各制御領域の透過および遮断を制御することによって、所望の照射面積、照射形状および照射位置に制御することができる。これによって半導体試料に対する励起用電磁波の照射面積、照射形状および照射位置を制御できるライフタイム測定装置を実現することができる。
【００８１】
また本発明によれば、照射面積の変化に起因するライフタイムの不所望な変化を防ぐことができる。これによってＳ／Ｎ比を一定に保つことができる。したがって好適なライフタイムを求めることができる。
【００８２】
また本発明によれば、検出手段から演算手段への信号を増幅する増幅手段のゲインを調整するので、反射強度とライフタイムとの相関関係の補正を実現することができる。
【００８３】
また本発明によれば、励起用電磁波の照射面積に基づいて、半導体試料への励起用電磁波の照射強度を調整する照射強度調整手段をさらに含むので、照射面積の変化に起因する反射強度の不所望な変化を防ぐことができる。これによってＳ／Ｎ比を一定に保つことができる。したがって好適なライフタイムを求めることができる。
【００８４】
また本発明によれば、照射強度調整手段は、励起波源からの出射強度を調整する手段、および照射制御手段における励起用電磁波の透過率を調整する手段のいずれか一方である。これによって半導体試料における励起用電磁波の照射強度の調整を実現することができる。
【００８５】
また本発明によれば、照射位置を走査しながらライフタイムを２次元的に求めるように各部が制御されるので、半導体試料の全域にわたって高精度のライフタイムを求めることができる。
【図面の簡単な説明】
【図１】本発明の実施の一形態であるライフタイム測定装置１の構成を示すブロック図である。
【図２】ライフタイム測定装置１を構成する液晶シャッター３を示す正面図である。
【図３】液晶シャッター３、レーザ光照射領域２０およびマイクロ波照射領域２１を示す正面図である。
【図４】各制御領域１７の内、１つの制御領域１７を透過領域２２に制御した液晶シャッター３を示す正面図である。
【図５】各制御領域１７の内、２×２個の制御領域１７を透過領域２２に制御した液晶シャッター３を示す正面図である
【図６】各制御領域１７の内、幅方向に延びる１×Ｎ個の制御領域１７を透過領域２２に制御した液晶シャッター３を示す正面図である
【図７】各制御領域１７の内、長さ方向に延びるＭ×１個の制御領域１７を透過領域２２に制御した液晶シャッター３を示す正面図である。
【図８】液晶シャッター３の透過領域２２の面積である透過面積αと、マイクロ波１４の半導体試料１２による反射光１６の反射強度との関係を示すグラフである
【図９】ライフタイム測定装置１を用いてライフタイムを測定する測定方法を示すフローチャートである。
【図１０】本実施の他の形態のライフタイム測定装置を用いてライフタイムを測定する測定方法を示すフローチャートである。
【図１１】本実施のさらに他の形態のライフタイム測定装置を用いてライフタイムを測定する測定方法を示すフローチャートである。
【図１２】本実施のさらに他の形態のライフタイム測定装置を構成する液晶シャッター３０を示す正面図である。
【図１３】本実施のさらに他の形態のライフタイム測定装置を構成する液晶シャッター４０を示す正面図である。
【図１４】本実施のさらに他の形態のライフタイム測定装置に用いられる光学フィルタ５０を構成する下部基板５１を示す正面図である。
【図１５】光学フィルタ５０を構成する上部基板５２を示す正面図である。
【図１６】光学フィルタ５０を示す断面図である。
【図１７】本実施のさらに他の形態のライフタイム測定装置に用いられる光学フィルタ７０を構成する下部基板７１を示す正面図である。
【図１８】光学フィルタ７０を構成する上部基板７２を示す正面図である。
【図１９】光学フィルタ７０を示す断面図である。
【符号の説明】
１  ライフタイム測定装置
２  レーザ光源
３，３０，４０  液晶シャッター
５  ＣＰＵ
６  アンプ
７  光検出器
８  マイクロ波源
１２  半導体試料
１３  レーザ光
１４  マイクロ波
１７  制御領域
５０，７０  光学フィルタ
【図１】
2004319633.tif 000003
【図２】
2004319633.tif 000004
【図３】
2004319633.tif 000005
【図４】
2004319633.tif 000006
【図５】
2004319633.tif 000007
【図６】
2004319633.tif 000008
【図７】
2004319633.tif 000009
【図８】
2004319633.tif 000010
【図９】
2004319633.tif 000011
【図１０】
2004319633.tif 000012
【図１１】
2004319633.tif 000013
【図１２】
2004319633.tif 000014
【図１３】
2004319633.tif 000015
【図１４】
2004319633.tif 000016
【図１５】
2004319633.tif 000017
【図１６】
2004319633.tif 000018
【図１７】
2004319633.tif 000019
【図１８】
2004319633.tif 000020
【図１９】
2004319633.tif 000021